【手続補正書】
【提出日】平成20年11月7日(2008.11.7)
【手続補正１】
【補正対象書類名】特許請求の範囲
【補正対象項目名】全文
【補正方法】変更
【補正の内容】
【特許請求の範囲】
【請求項１】
少なくとも
１）下記一般式（１）又は（２）又は（３）で表される構造を有するユニットＡ、
２）カルボキシル基を有するユニットＢ、および
３）芳香族ビニルモノマー由来のユニットＣ
を含む共重合体であって、
該共重合体におけるユニットＡのユニット数基準の含有割合が、
ユニットＡ：その他のユニット＝1：９９〜１５：８５
であって、
該共重合体におけるユニットＢのユニット数基準の含有割合が、
ユニットＢ：その他のユニット＝０．０５：９９．９５〜８．００：９２．００
であることを特徴とするトナー用樹脂。
【化１】
2007133216.tif 000001
（式中、Ｒ１〜４は独立に水素原子、水酸基、炭素数１〜１２のアルキル基、アリール基、アルコキシ基を表し、Ｒ５は炭素数１〜１２のアルキル基、アリール基を表し、Ａ１はアミド結合、ウレタン結合、ウレア結合、エステル結合、エーテル結合を表す。）
【化２】
2007133216.tif 000002
（式中、Ｒ６〜９は独立に水素原子、水酸基、炭素数１〜１２のアルキル基、アリール基、アルコキシ基を表し、また、隣接する同士が５員環又は６員環の芳香族環を形成していてもよく、Ｒ１０は炭素数１〜１２のアルキル基、アリール基を表し、Ａ２はアミド結合、ウレタン結合、ウレア結合、エステル結合、エーテル結合を表す。）
【化３】
2007133216.tif 000003
（式中、Ｒ１１〜１６は独立に水素原子、水酸基、炭素数１〜１２のアルキル基、アリール基、アルコキシ基を表し、また、隣接する同士が５員環又は６員環の芳香族環を形成していてもよく、Ｒ１０は炭素数１〜１２のアルキル基、アリール基を表し、Ａ３はアミド結合、ウレタン結合、ウレア結合、エステル結合、エーテル結合を表す。）
【請求項２】
前記共重合体が、少なくとも下記式（４）で表されるモノマーと（メタ）アクリル酸とスチレンとを共重合して得られた共重合体であることを特徴とする請求項１に記載のトナー用樹脂。
【化４】
2007133216.tif 000004
（式中、Ｒ１８は水素原子又はメチル基を表し、Ｂは下記式（５）又は（６）又は（７）で表される。）
【化５】
2007133216.tif 000005
（式中、Ｒ１９〜２２は独立に水素原子、水酸基、炭素数１〜１２のアルキル基、アリール基、アルコキシ基を表し、Ｒ２３は炭素数１〜１２のアルキル基、アリール基を表し、Ａ４はアミド結合、ウレタン結合、ウレア結合、エステル結合、エーテル結合を表す。）
【化６】
2007133216.tif 000006
（式中、Ｒ２４〜２７は独立に水素原子、水酸基、炭素数１〜１２のアルキル基、アリール基、アルコキシ基を表し、また、隣接する同士が５員環又は６員環の芳香族環を形成していてもよく、Ｒ２８は炭素数１〜１２のアルキル基、アリール基を表し、Ａ５はアミド結合、ウレタン結合、ウレア結合、エステル結合、エーテル結合を表す。）
【化７】
2007133216.tif 000007
（式中、Ｒ２９〜３４は独立に水素原子、水酸基、炭素数１〜１２のアルキル基、アリール基、アルコキシ基を表し、また、隣接する同士が５員環又は６員環の芳香族環を形成していてもよく、Ｒ３５は炭素数１〜１２のアルキル基、アリール基を表し、Ａ６はアミド結合、ウレタン結合、ウレア結合、エステル結合、エーテル結合を表す。）
【請求項３】
前記共重合体のゲルパーミエーションクロマトグラフィーにより算出した重量平均分子量が２０００〜２０００００の範囲にあることを特徴とする請求項１又は２に記載のトナー用樹脂。
【請求項４】
前記共重合体のゲルパーミエーションクロマトグラフィーにより算出した重量平均分子量（Ｍｗ）と数平均分子量（Ｍｎ）において、Ｍｗ／Ｍｎが１．０〜６．０の範囲にあることを特徴とする請求項１乃至３のいずれかに記載のトナー用樹脂。
【請求項５】
前記共重合体が、示差走査熱量計により測定されるＤＳＣ曲線において、４５℃〜９０℃の範囲にガラス転移点を有することを特徴とする請求項１乃至４のいずれかに記載のトナー用樹脂。
【請求項６】
前記共重合体の酸価が、３．０〜４０．０ｍｇＫＯＨ／ｇであることを特徴とする請求項１乃至５のいずれかに記載のトナー用樹脂。
【請求項７】
前記共重合体が、少なくとも前記式（３）で表されるモノマーと（メタ）アクリル酸とスチレンと下記式（８）で表されるモノマーとを共重合して得られた共重合体であることを特徴とする請求項１乃至６のいずれかに記載のトナー用樹脂。
【化８】
2007133216.tif 000008
（式中、Ｒ３６は水素原子又はメチル基を表し、Ｒ３７は置換基を有していても良い炭素数１〜２０のアルキル基を表し、置換基としては水酸基、メトキシ基、エトキシ基、アセチル基、アミノ基である。）
【請求項８】
少なくとも結着樹脂、着色剤、及び、請求項１乃至７のいずれかに記載のトナー用樹脂を含有するトナー粒子を有することを特徴とするトナー。
【請求項９】
前記トナー用樹脂の含有量が、前記結着樹脂１００質量部に対して０．１〜２０質量部であることを特徴とする請求項８に記載のトナー。
【請求項１０】
前記トナーは、前記トナー用樹脂を有する組成物を水系媒体中で分散する工程を有する製造方法により形成させたトナー粒子を有することを特徴とする請求項８または９に記載のトナー。
【請求項１１】
少なくともトナーとキャリアとを有する二成分現像剤であって、該トナーが請求項８乃至１０のいずれかに記載のトナーであることを特徴とする二成分現像剤。
【手続補正２】
【補正対象書類名】明細書
【補正対象項目名】００３２
【補正方法】変更
【補正の内容】
【００３２】
次に、上記共重合体における各ユニットの含有割合について述べる。本発明においては、前記一般式（１）で表されるユニットＡは共重合体を形成するその他のユニットに対して、ユニット数基準（モル基準）で、
ユニットＡ：その他のユニット＝１：９９〜１５：８５
の割合で含有されており、３：９７〜１２：８８であることがより好ましい。ユニットＡが少なすぎる場合には、帯電性が不十分となる場合があり、逆に多すぎる場合には現像・転写性が低下する場合がある。尚、本発明において、ユニットとは、共重合体の重合に用いられ、共重合体を構成する単量体に由来する構成単位のことである。
【手続補正３】
【補正対象書類名】明細書
【補正対象項目名】００３３
【補正方法】変更
【補正の内容】
【００３３】
また、上記共重合体においては、ユニットＢは共重合体を形成するその他のユニットに対して、ユニット数基準（モル基準）で、
ユニットＢ：その他のユニット＝０．０５：９９．９５〜８．００：９２．００
であり、より好ましくは０．５：９９．５〜６．０：９４．０である。ユニットＢの割合が０．０５より少ない場合には、トナー表面における上記共重合体の存在量が不十分となる場合や、耐久後において帯電性が安定しない場合がある。逆に、ユニットＢの割合が８．００：９２．００より多い場合には、トナー中での上記共重合体の分散状態に影響を与えたり、トナーの帯電性が環境（温度・湿度）の変化によって左右される場合がある。以上の理由により、ユニットＢが上記の特定の割合で共存していることが好ましい。
【手続補正４】
【補正対象書類名】明細書
【補正対象項目名】００３４
【補正方法】変更
【補正の内容】
【００３４】
更に、芳香族ビニルモノマー由来のユニットＣの割合が少なすぎる場合には、該樹脂のＴｇが低くなり、トナーの保存安定性や耐久安定性が低下する場合があり、加えてバインダー樹脂との相溶性が著しく悪くなりトナー表面近傍に存在する該樹脂の存在量が極端に少なくなり（または多くなり）、該樹脂を含有させる効果が十分に発現されない場合がある。そのため、ユニットＣは共重合体を形成するその他のユニットに対して、ユニット数基準（モル基準）で、
ユニットＣ：その他のユニット＝３０．０：７０．０〜９８．０：２．０
を満たすことが特に好ましく、５０．０：５０．０〜９８．０：２．０を満たすことが更に好ましい。